(57)【要約】      （修正有）【課題】携帯椅子の折畳み時に手提げ袋等に入れて持ち運ぶことができる携帯に適した大きさに折り畳むことができ、しかも正座用椅子にも適用することができる折畳み携帯椅子を提供する。【解決手段】上回動軸２２を水平に枢支する上枢支部２３と、上枢支部２３と同様の枢支構造を有して上枢支部２３の下方に設けられた中間枢支部２６とを両側面に有する支柱２と、上枢支部２３を支点に上下方向に回動可能に枢支され、下面に係止部３５が設けられた座板３と、中間枢支部２６を支点に上下方向に回動可能に枢支され、座板３が水平に配置された時に先端部４２が座板３の係止部３５に係止される突張支持部材４と、支柱２の下部に回動可能に取り付けられ、支柱２と交差する向きに回動した時、支柱２の両側で床面Ｆに当接し、支柱２を両側から支持するよう設けられた支持脚５とで構成したことを特徴とする。【選択図】図１
0003189004.tif 000002
【実用新案登録請求の範囲】
【請求項１】
上回動軸を水平に枢支する上枢支部と同枢支構造を有して該上枢支部の下方に設けられた中間枢支部とを両側面に有する支柱と、
前記上枢支部を支点に上下方向に回動可能に枢支され、下面に係止部が設けられた座板と、
前記中間枢支部を支点に上下方向に回動可能に枢支され、前記座板が水平に配置された時に先端部が前記座板の係止部に係止される突張支持部材と、
前記支柱の下部に回動可能に取り付けられ、該支柱と交差する向きに回動した時、支柱の両側で床面に当接し、該支柱を両側から支持するよう設けられた支持脚とで構成したことを特徴とする折畳み携帯椅子。
【請求項２】
前記支持脚は、前記支柱の下部で該支柱の上下方向にスライド自由に支持され、且つ下回動軸を水平に枢支する下枢支部を両側面に有するスライド本体と、
前記下枢支部を支点に上下方向に回動し、下方に回動した時、前記支柱の側面に沿うように折り畳まれ、上方に回動した時、下枢支部よりも上方の上部端面が前記スライド本体または支柱に当接し、且つ下枢支部よりも下方の下部側面が床面に当接して支柱を両側から支持する脚部とを備えたことを特徴とする請求項１に記載の折畳み携帯椅子。
【請求項３】
前記スライド本体は、前記下回動軸の上方において、該スライド本体の側壁を貫通し、且つ貫通方向に進退自由に配設され、脚部が上方に回動した時に脚部の上部端面の押圧によって支柱の側面を押圧する軸を有することを特徴とする請求項２に記載の折畳み携帯椅子。
【請求項４】
前記支持脚は、前記支柱の底部に備えられる可動脚部と、前記可動脚部を前記支柱と水平方向で交差する向きに回動可能に枢支させる底部枢支部とで構成したことを特徴とする請求項１に記載の折畳み携帯椅子。
【考案の詳細な説明】
【技術分野】
【０００１】
本考案は、手提げバック等に収納して手軽に持ち運ぶことができる軽量でコンパクトな折畳み携帯椅子に関する。
【背景技術】
【０００２】
従来、この種の折畳み携帯椅子は各種の集合所、催し物会場、旅行等に携帯されることを考慮して小型化と軽量化とを満足することが要請され、小型化については様々な折畳構造の折畳椅子が採用されている。例えば、パイプ状の支柱脚を用いてＸ字状或いは逆Ｖ字状に構築し、その上部に座面や背凭れ部を構成したものが知られている。一方、折畳時にはこれらのＸ字状や逆Ｖ字状のパイプ交差部を支点に回動させて脚部や背凭れ部を平坦状に折り畳むことで小型化している(例えば特許文献１参照)。
【先行技術文献】
【特許文献】
【０００３】
【特許文献１】特開２００５−３４９０５３号公報
【考案の概要】
【考案が解決しようとする課題】
【０００４】
しかし、このような折畳構造を有する折畳椅子は式典会場や催し物会場等の各種の会場に多数並べて配置されるものであり、体重の異なる人の利用を全て可能にした不特定者用に製作されたものである。このため、十分な強度を持たせて安全に使用できるようにしているが、折畳椅子の強度を確保するには必然的に大型化し、重量も増すので手軽に持ち運べるものではなかった。近年、この点については折畳椅子の強度を確保し、且つ小型化や軽量化を図ってはいるが、未だ十分に折畳椅子の携帯性を満足できるものができていないのが実情である。
【０００５】
そこで本考案は、携帯椅子の折畳時に手提げ袋等に入れて持ち運ぶことができる携帯に適した大きさに折り畳むことができ、しかも利用者が畳面に正座して座る正座用椅子としても兼用できるような用途の広い折畳み携帯椅子を提供することを目的とする。
【課題を解決するための手段】
【０００６】
請求項１に記載した考案は、「上回動軸２２を水平に枢支する上枢支部２３と同枢支構造を有して該上枢支部２３の下方に設けられた中間枢支部２６とを両側面２ａに有する支柱２と、
前記上枢支部２３を支点に上下方向に回動可能に枢支され、下面に係止部３５が設けられた座板３と、
前記中間枢支部２６を支点に上下方向に回動可能に枢支され、前記座板３が水平に配置された時に先端部４２が前記座板３の係止部３５に係止される突張支持部材４と、
前記支柱２の下部に回動可能に取り付けられ、該支柱２と交差する向きに回動した時、支柱２の両側で床面Ｆに当接し、該支柱２を両側から支持するよう設けられた支持脚５とで構成した」ことを特徴とする折畳み携帯椅子１である。
【０００７】
請求項２に記載した考案は請求項１に記載の折畳み携帯椅子１に関し「前記支持脚５は、前記支柱２の下部で該支柱２の上下方向にスライド自由に支持され、且つ下回動軸５４を水平に枢支する下枢支部５５を両側面に有するスライド本体５１と、
前記下枢支部５５を支点に上下方向に回動し、下方に回動した時、前記支柱２の側面２ａに沿うように折り畳まれ、上方に回動した時、下枢支部５５よりも上方の上部端面５２ｃが前記スライド本体５１または支柱２に当接し、且つ下枢支部５５よりも下方の下部側面５２ａが床面Ｆに当接して支柱２を両側から支持する脚部５２とを備えた」ことを特徴とする。
【０００８】
請求項３に記載した考案は請求項２に記載の折畳み携帯椅子１に関し「前記スライド本体５１は、前記下回動軸５４の上方において、該スライド本体５１の側壁５１ｂを貫通し、且つ貫通方向に進退自由に配設され、脚部５２が上方に回動した時に脚部５２の上部端面５２ｃの押圧によって支柱２の側面２ａを押圧する軸５６を有する」ことを特徴とする。
【０００９】
請求項４に記載した考案は請求項１に記載の折畳み携帯椅子１に関し「前記支持脚５は、前記支柱２の底部に備えられる可動脚部６２と、前記可動脚部６２を前記支柱２と水平方向で交差する向きに回動可能に枢支させる底部枢支部６４とで構成した」ことを特徴とする。
【考案の効果】
【００１０】
請求項１に記載の折畳み携帯椅子によれば、支柱の上部で座板を開閉させ、支柱の下部で支持脚を開閉させることができるので、座板と支持脚とを支柱の上部と下部に分けて開閉させることができる。よって、支柱の上部と下部とで折り畳まれる部材が重ならず、折畳時には幅狭化してコンパクトに折り畳むことができる。また、折畳み携帯椅子の全ての材料を炭素繊維強化樹脂材等の高強度で軽量の樹脂材で構成すればよい。さらに、支柱の高さを低くして座り高さを低く構成した場合は正座用の座り椅子としても利用可能になる。
【００１１】
請求項２に記載の折畳み携帯椅子によれば、支持脚の脚部が座板や床面と干渉しないように支持脚を支柱に沿って上下にスライドさせることができるので、限られたスペースでの脚部の展開や折畳みが可能になり、脚部を支柱長さ内でコンパクトに折り畳むことが可能になる。また、脚部が上方に回動した時、脚部の上部がスライド本体または支柱に当接し、下部が床面に当接するので使用時には床面からの反力が下枢支部を支点に方向変換してスライド本体または支柱側を押圧することになる。よって、使用時に支持脚が上方へスライドしようとするのを規制させる効果がある。
【００１２】
請求項３に記載の折畳み携帯椅子によれば、使用時に上方に回動した脚部の上部端面がスライド本体の軸を押すので、その軸が支柱の側面を押圧することになる。よって、使用時に脚部が床面に接した状態では軸が支柱との接触抵抗を強めて、脚部がスライド規制を強めて脚部が上方へスライドするのを規制し、これに伴って脚部は床面から浮き上がるようなことはなく、常に安定した床面設置状態を維持することができる。
【００１３】
請求項４に記載の折畳み携帯椅子によれば、支柱の底部に設けた可動脚部を水平に回動させて支柱の平面視長辺方向と交差する両側に配置させることができるため、支柱を十字形に安定して支持することができる。
【図面の簡単な説明】
【００１４】
【図１】本考案の折畳み携帯椅子の座面を形成した状態示す正面図である。
【図２】本考案の折畳み携帯椅子の折畳み状態を示す斜視図である。
【図３】本考案の折畳み携帯椅子の座板と突張支持部材との開閉を示す正面図である。
【図４】(Ａ)は本考案の支持脚を折り畳んだ閉状態を示す要部斜視図、(Ｂ)は本考案の支持脚を展開した開状態を示す要部斜視図である。
【図５】(Ａ)は本考案の他の実施例の支持枠の一例を示す図５(Ｂ)のａ−ａ線矢視断面図、(Ｂ)は本考案の支持脚のスライド規制状態を示す要部拡大正面図である。
【図６】(Ａ)は本考案の他の実施例の支持脚の待機状態を示す要部斜視図、(Ｂ)はその使用状態を示す要部斜視図である。
【図７】本考案の折畳み携帯椅子を傾斜姿勢にて使用した状態を示す正面図である。
【考案を実施するための形態】
【００１５】
以下、本考案を図示実施例に従って説明する。本考案に係る折畳み携帯椅子１は、図１に折畳み携帯椅子１の座面と脚部を形成した状態を示し、図２に折畳み携帯椅子１を折り畳んだ状態を示している。折畳み携帯椅子１は中央部に起立する支柱２と、その支柱２の両側に左右対称に設けられる座板３と、突張支持部材４と、支持脚５とを組み合わせて構成される。
【００１６】
支柱２は上下面を閉じた平面視長方形状を有する縦長の中実または中空長方体であり、その上部の平面視長辺方向の両側面２ａに上枢支アーム２１を突出させて設け、該上枢支アーム２１の突出端部に設けられている上枢支孔２１ａに上回動軸２２を支柱２の平面視長辺方向に沿わせて水平に枢支した上枢支部２３を有している。ここで、上枢支アーム２１の上面を、後述する座板３の上ストッパ面２１ｂとして設けている。
【００１７】
また、上述した上枢支部２３の下方には、同様な枢支構造を有する中間枢支部２６が形成されている。中間枢支部２６は上枢支部２３の下方で支柱２の平面視長辺方向の両側面２ａに中間枢支アーム２４を突出させて設け、該中間枢支アーム２４の突出端部に設けられている中間枢支孔２４ａに中間回動軸２５を支柱２の平面視長辺方向に沿わせて水平に枢支する構造を有している。これらの枢支部２３，２６は左右対称で同枢支構造を有しているので、左右の同枢支構造については同符号を符して同じ説明は省略する。また、支柱２の底部には支柱２の周囲より一回り大きい幅広平板状に形成された床置台２７を有している。
【００１８】
座板３は長方板の基端部３１が上回動軸２２に回動自由に枢支され、上回動軸２２を支点に座板３は上下方向に回動される。この座板３は、図３にも示すように上方に回動した水平な座面を形成した上開位置Ｐ１と、下方に回動した垂直な座板３の折畳姿勢を形成した上閉位置Ｐ２との略９０度の間で回動許容されている。ここに用いられる座板３は少なくとも座面の半分の長さ以上または以下を有して左右一対に配置される。
【００１９】
さらに、座板３の基端部３１の下面は回動規制面３２として設けられ、この回動規制面３２は座板３が上方に回動した上開位置Ｐ１で上枢支アーム２１の上ストッパ面２１ｂに当接して回動規制される。また、座板３の基端部３１と先端部３３との間の中間部３４の下面には、下向きに突出した凸状の係止部３５が設けられている。この凸状の垂直面と座板３の水平な下面とで形成される略直角の角部空間が係止角部３５ａとして設けられている。また、座板３の上開位置Ｐ１において、座板３の基端部３１の端面３１ａと支柱２の側面２ａとの対向面間には上垂直隙間Ｃ１を設けており、同様に座板３の基端部３１の下面である回動規制面３２と上枢支アーム２１の上面である上ストッパ面２１ｂとの対向面間には上水平隙間Ｃ２を設けている。そして、これらの上垂直隙間Ｃ１及び上水平隙間Ｃ２により座板３を僅かに上動許容させて後述する突張支持部材４と係止部３５との係脱操作を許容できるようにしている（図３）。
【００２０】
上述の突張支持部材４は、長方板の基端部４１が中間回動軸２５に回動自由に枢支され、中間回動軸２５を支点に突張支持部材４は上下方向に回動される。この突張支持部材４は、図３にも示すように斜め上方に回動した傾斜姿勢の中間開位置Ｐ３と、下方に回動した垂直な突張支持部材４の折畳姿勢を形成した中間閉位置Ｐ４との略１３５度程の間で回動許容されている。
【００２１】
さらに、突張支持部材４の傾斜長さは、座板３が水平に配置された上開位置Ｐ１の時に、座板３の下面中間部の係止部３５に該突張支持部材４の先端部４２が係止される対応長さを有して設けられている。一方、座板３及び突張支持部材４は下方への回動が許容された自由状態の時は図３に仮想線で示すように自重または手動により下向きに回動して各枢支部２３，２６を頂点とする真下の位置に垂下するようになっている。
【００２２】
支持脚５は、図４にも示すようにスライド本体５１とその両側の脚部５２とから構成される。まずスライド本体５１は、上述した長方体の支柱２の外形状を囲む同形状のスライド孔５１ｃを備えた中空長方体であり、このスライド本体５１が支柱２の下部で上下方向にスライド支持されている。さらに、スライド本体５１の平面視長辺方向両側面には下枢支部５５が設けられており、下枢支部５５は先端部に下枢支孔５３ａを有する下枢支アーム５３が突出して設けられ、該下枢支孔５３ａに枢支されている下回動軸５４が支柱２の平面視長辺方向と平行して水平に枢支される構造を有している。ここで、下枢支アーム５３の上面を下ストッパ面５３ｂとし、後述する脚部５２の上方回動完了時（下開位置Ｐ５）の回動規制面としている。
【００２３】
脚部５２は、下枢支部５５を支点に上下方向に回動し、このうち下方へは自重または手動により回動し、図４(Ａ)に示すように下方に回動した時、支柱２の側面２ａに沿うように折畳幅長さＬを短くした折畳姿勢の下閉位置Ｐ６となる。この時、下枢支部５５よりも下方の下部側面５２ａが支柱２の側面２ａに当接して係止されるよう下部を重くしてバランスをとっている。
【００２４】
一方、図４(Ｂ)に示すように脚部５２が上方に回動した時、下枢支部５５よりも上方の上部側面５２ｂが回動して下向きとなり下枢支アーム５３の下ストッパ面５３ｂに当接し、この当接した回動規制位置が脚部５２の上回動規制面（下開位置Ｐ５）となる。この時、下枢支部５５よりも下方の下部側面５２ａが回動して下向きとなり床面と当接可能に展開した状態となる。そして、展開操作されたまま下向きにスライドして下部側面５２ａが床面Ｆに当接（図１）することで脚部５２が支柱２を両側から支持するよう設けている。上述した下枢支部５５及びここに枢支され脚部５２はスライド本体５１を中心に左右対称に設けられる同枢支構造を有している。
【００２５】
なお、脚部５２を上方に回動させた時の回動規制手段としては、脚部５２の上部側面５２ｂと下枢支アーム５３の下ストッパ面５３ｂとで回動規制させるだけでなく、脚部５２の上部端面５２ｃとスライド本体５１の外側面５１ａとを当接させることで脚部５２を回動規制するようにしてもよく、上部端面５２ｃと支柱２の側面２ａとを当接させることで脚部５２を回動規制するようにしてもよい。また、折畳み携帯椅子１の高強度化及び軽量化については、折畳み携帯椅子１の構成材料の全ての材質を高強度化及び軽量化に適した合成樹脂材、例えば炭素繊維強化樹脂材で製作するとよい。
【００２６】
このように構成された折畳み携帯椅子１を使用する際は、折り畳まれた折畳み携帯椅子１（図２）の支柱２の上部において、上枢支部２３を支点に垂下した状態にある座板３の先端部３３を持って上方へと持ち上げるように回動させ（図３）、略水平になった時、座板３の基端部下面の回動規制面３２と、これを受け止める上ストッパ面２１ｂとが上下に当接して回動規制され、座板３は略水平に展開された座面形成姿勢（上開位置Ｐ１）となる。
【００２７】
この底面形成姿勢を保った状態で突張支持部材４を中間枢支部２６を支点に上方に回動させ、斜め上向きになった先端部４２を座板下面の係止角部３５ａと対向させると、該先端部４２が係止角部３５ａに係止され、突張支持部材４が座板３を斜め下方から突っ張り支持した中間開位置Ｐ３となる。この突っ張り支持により座板３は上方からの負荷（荷重）を受けても水平な座面形成姿勢に維持される。このような座板３の開操作は支柱２を中心とする両側で左右対称に行なわれる（図３）。
【００２８】
続いて、図４(Ａ)に示すように、支柱２の下部において支持脚５は支柱２に沿って折り畳まれている状態にある脚部５２をスライド本体５１と共に上方にスライドさせる。この時のスライド高さは脚部５２を開操作した時に脚部５２が床面Ｆに接しない高さ位置であればよい。脚部５２を上方へスライドした後は図４(Ｂ)に示すように、脚部５２の下側を持って下枢支部５５を支点に上方へと回動させ、略水平になった時点で、下枢支部５５より上方の上部側面５２ｂとこれを受け止める下枢支アーム５３の下ストッパ面５３ｂとが上下に当接して回動規制され、脚部５２は略水平に展開された床面当接可能な姿勢（下開位置Ｐ５）となる。この床面当接可能な姿勢を保った状態で脚部５２をスライド本体５１と共に下方にスライドさせると、脚部５２の下部側面５２ａが床面Ｆに当接する（図１）。この際、脚部５２は時点で支柱２を中心とする両側で床面Ｆを確実に捉えるので折畳み携帯椅子１は床面Ｆに安定して接触する。
【００２９】
一方、折畳み携帯椅子１を折り畳む際は、図４(Ｂ)に示すように、まず脚部５２をスライド本体５１と共に上方に押し上げる。すると、両側の脚部５２が下枢支部５５を支点に自重または手動により下方へ回動し、下部側面５２ａが図４(Ａ)に示すように、支柱２の側面２ａに当接して下方への回動が規制される。この時、脚部５２は垂直に折り畳まれた姿勢となり、脚部５２の下閉位置Ｐ６となって脚部５２の折畳みが完了する（図３）。
【００３０】
次に、座板３を折り畳む際は、座板３の先端部３３を持って僅かに持ち上げると、突張支持部材４の先端部４２が座板３の係止部３５より外れ、座板３と突張支持部材４は共に自由状態となり、座板３及び突張支持部材４は自重または手動により各枢支部２３，２６を支点にそれぞれ下方へ回動する。そして、略真下に回動した時点で回動停止し、座板３と突張支持部材４は支柱２に沿った略垂直な姿勢にて折り畳まれた状態となる（図２）。このように折畳み携帯椅子１は支柱２を中心に座面を展開させた使用可能な状態と、支柱２に沿わせた幅狭な折畳状態とに切り換えることができる。
【００３１】
以上説明したように、座板３と支持脚５とを支柱２の上部と下部に分けて開閉させることができるので、支柱２の上部と下部とで折り畳まれる部材が重ならず、これらの部材を幅狭化してコンパクトに折り畳むことができる。また、座板３と支持脚５の展開時や折畳時においても脚部５２を座板３と干渉しないように上下にスライドさせることで限られたスペースでの展開や折畳みを可能にすることができる。また、折畳み携帯椅子１は樹脂材でコンパクトに折り畳むことができるので手提げバック等に収納して手軽に持ち運ぶことができる。さらに、折畳み携帯椅子１は支柱２の長さによって座り高さが異なるが、支柱２の長さ別に折畳み携帯椅子１を製作すれば、大人用、子供用に分けて利用できるのは勿論のこと、支柱２の長さを十分に短くして正座用の座り椅子として利用することもできる。
【００３２】
図５は本考案のスライド本体５１の他の実施例を示し、スライド本体５１は下回動軸５４の上方において、スライド本体５１の側壁５１ｂを貫通し、且つ貫通方向に進退自由となる軸５６を備えたものである。この軸５６は軸方向内端部を大径に、外端部を小径にした段付き軸で構成している。さらに、この軸５６より一回り大きい大径部と小径部を有する段付き孔５７で軸５６を進退自由に支持している。
【００３３】
この際、軸５６の大径部の内端面が支柱２の側面２ａに接触するように平面的に対向された状態に設けられている。そして、大径部同士が軸方向に対向するが、これらの端面５６ａ，５７ａが対接することで、軸５６が段付き孔５７より離脱しようとするのを防いでいる。さらに、段付き孔５７に支持された軸５６の外端面５６ｂは、スライド本体５１の外側面５１ａより外方に数ミリ程度突出させて設けている。この外端面５６ｂは脚部５２が開いた下開位置Ｐ５の時に、脚部５２の上部端面５２ｃが当接するよう構成したものである。なお、軸５６は、図５(Ａ)に示すようにスライド本体５１の平面視長辺方向両端部に設け、合計４箇所に配置して均一な押圧が得られるようにしている。
【００３４】
このような軸５６をスライド本体５１に設けた場合は、折畳み携帯椅子１の使用時に、支持脚５は床面Ｆからの反力を受けて下枢支部５５を支点に脚部５２は回動して横向きとなり、軸５６の外端面５６ｂを押圧することになる。この際、脚部５２の上部端面５２ｃとスライド本体５１の外側面５１ａとの対向面間には押圧許容スペースを確保するために下垂直隙間Ｃ３を設けている。
【００３５】
この結果、上方に回動した脚部５２の上部端面５２ｃがスライド本体５１の軸５６を押すので、その軸５６が支柱２の側面２ａを押圧し、支柱２と軸５６との間で接触抵抗を強める。従って、支持脚５に掛かる脚部５２の開動作後は支持脚５のスライド抵抗を高めて支持脚５のスライド移動を規制することができる。よって、脚部５２が床面Ｆに接した使用状態では支柱２と支持脚５との一体化を高めて支持脚５が床面Ｆをしっかり捉えることができる。また、スライド規制に伴って床面Ｆへの当接性が安定し、使用時に脚部５２が床面Ｆから浮き上がるようなおそれはなく、折畳み携帯椅子１は常に安定した床面設置状態を維持することができる。
【００３６】
なお、スライド本体５１のスライド規制に際して、脚部５２が軸５６の外端を押圧するように構成する以外に、脚部５２の一部が段付き孔５７に臨むような押圧部材にて軸５６を押圧するようにしてもよく、軸５６を用いず、脚部５２の上部端面５２ｃで支柱２の側面２ａに直接押圧させるように構成することもできる。このような構成に加えて、さらに支柱２の側面２ａと軸５６との接触面を凹凸形成してスライド方向の接触抵抗高めるようにしてもよい。
【００３７】
図６は本考案の支持脚５の他の実施例を示し、この支持脚５は支柱２の底部を平面視長辺方向の両端部を残して中央部を切り欠いた逆凹形状の中央空間６１と、この中央空間６１より一回り小さくして中央空間６１に備えられる可動脚部６２と、逆凹形状の両端部に設けられる平面視長辺方向の両側の固定脚部６３とから構成される。
【００３８】
中央空間６１の中心部には可動脚部６２を支柱２と水平方向で交差する向きに回動可能に枢支させる底部枢支部６４が備えられており、この底部枢支部６４を支点に可動脚部６２は回動される。そして、可動脚部６２を水平に回動させて該可動脚部６２を支柱２の平面視長辺方向と交差する両側に配置させれば、可動脚部６２と固定脚部６３とで支柱２を十字形に支持して前後左右で床面を捉えて安定して支持することができる。なお、中央空間６１の両端面は底部枢支部６４を中心とする円弧形に切り欠いた円弧面６５に形成しており、該円弧面６５により可動脚部６２の平面視長辺方向端部との接触を避けて可動脚部６２の回動を可能にしている。なお、底部枢支部６４はピン、軸等で可動脚部６２の中央部を軸支すればよく、図６ではビスで軸支した一例を示している。
【００３９】
図７は折畳み携帯椅子１を搭載台として利用可能な使用例を示している。ここでは折畳み携帯椅子１を椅子として使用するだけでなく、スマートフォン等のモバイル機器、本、書類などの物品７１の搭載台に利用した状態を示している。即ち、床面Ｆに対して支柱２を傾斜させ、その傾斜した上方側では座板３及び突張支持部材４を折り畳んだ重合傾斜状態を保ち、脚部５２は開操作させた状態に保つ。よって、上面側に物品７１の搭載面７２を構築できる。一方、傾斜した支柱２の下方側では座板３及び突張支持部材４を床面Ｆに向けて開き、これらの先端部が床面Ｆに当接する支え部材となる。また、脚部５２は支柱２の傾斜姿勢に支障がないように折り畳んだままの状態に保ち、該脚部５２及び床置台２７の下端が支え部材として用いられる。従って、椅子と搭載台とを兼ね備えた用途の広い利用が可能になる。
【符号の説明】
【００４０】
１…折畳み携帯椅子、２…支柱、２ａ…側面、３…座板、４…突張支持部材、５…支持脚、２１…上枢支アーム、２１ａ…上枢支孔、２１ｂ…上ストッパ面、２２…上回動軸、２３…上枢支部、２４…中間枢支アーム、２４ａ…中間枢支孔、２５…中間回動軸、２６…中間枢支部、２７…床置台、３１…基端部、３１ａ…端面、３２…回動規制面、３３…先端部、３４…中間部、３５…係止部、３５ａ…係止角部、４１…基端部、４２…先端部、５１…スライド本体、５１ａ…外側面、５１ｂ…側壁、５１ｃ…スライド孔、５２…脚部、５２ａ…下部側面、５２ｂ…上部側面、５２ｃ…上部端面、５３…下枢支アーム、５３ａ…下枢支孔、５３ｂ…下ストッパ面、５４…下回動軸、５５…下枢支部、５６…軸、５６ａ…端面、５６ｂ…外端面、５７…段付き孔、５７ａ…端面、６１…中央空間、６２…可動脚部、６３…固定脚部、６４…底部枢支部、６５…円弧面、７１…物品、７２…搭載面、Ｐ１…上開位置、Ｐ２…上閉位置、Ｐ３…中間開位置、Ｐ４…中間閉位置、Ｐ５…下開位置、Ｐ６…下閉位置、Ｆ…床面、Ｃ１…上垂直隙間、Ｃ２…下水平隙間、Ｃ３…下垂直隙間、Ｌ…折畳幅長さ。
【図１】
0003189004.tif 000003
【図２】
0003189004.tif 000004
【図３】
0003189004.tif 000005
【図４】
0003189004.tif 000006
【図５】
0003189004.tif 000007
【図６】
0003189004.tif 000008
【図７】
0003189004.tif 000009
【手続補正書】
【提出日】平成25年12月5日(2013.12.5)
【手続補正１】
【補正対象書類名】実用新案登録請求の範囲
【補正対象項目名】全文
【補正方法】変更
【補正の内容】
【実用新案登録請求の範囲】
【請求項１】
上回動軸を水平に枢支する上枢支部と、前記上枢支部と同様の枢支構造を有して該上枢支部の下方に設けられた中間枢支部とを両側面に有する支柱と、
前記上枢支部を支点に上下方向に回動可能に枢支され、下面に係止部が設けられた座板と、
前記中間枢支部を支点に上下方向に回動可能に枢支され、前記座板が水平に配置された時に先端部が前記座板の係止部に係止される突張支持部材と、
前記支柱の下部に回動可能に取り付けられ、該支柱と交差する向きに回動した時、支柱の両側で床面に当接し、該支柱を両側から支持するよう設けられた支持脚とで構成したことを特徴とする折畳み携帯椅子。
【請求項２】
前記支持脚は、前記支柱の下部で該支柱の上下方向にスライド自由に支持され、且つ下回動軸を水平に枢支する下枢支部を両側面に有するスライド本体と、
前記下枢支部を支点に上下方向に回動し、下方に回動した時、前記支柱の側面に沿うように折り畳まれ、上方に回動した時、下枢支部よりも上方の上部端面が前記スライド本体または支柱に当接し、且つ下枢支部よりも下方の下部側面が床面に当接して支柱を両側から支持する脚部とを備えたことを特徴とする請求項１に記載の折畳み携帯椅子。
【請求項３】
前記スライド本体は、前記下回動軸の上方において、該スライド本体の側壁を貫通し、且つ貫通方向に進退自由に配設され、脚部が上方に回動した時に脚部の上部端面の押圧によって支柱の側面を押圧する軸を有することを特徴とする請求項２に記載の折畳み携帯椅子。
【請求項４】
前記支持脚は、前記支柱の底部に備えられる可動脚部と、前記可動脚部を前記支柱と水平方向で交差する向きに回動可能に枢支させる底部枢支部とで構成したことを特徴とする請求項１に記載の折畳み携帯椅子。
【手続補正２】
【補正対象書類名】明細書
【補正対象項目名】０００６
【補正方法】変更
【補正の内容】
【０００６】
請求項１に記載した考案は、「上回動軸２２を水平に枢支する上枢支部２３と、前記上枢支部２３と同様の枢支構造を有して該上枢支部２３の下方に設けられた中間枢支部２６とを両側面２ａに有する支柱２と、
前記上枢支部２３を支点に上下方向に回動可能に枢支され、下面に係止部３５が設けられた座板３と、
前記中間枢支部２６を支点に上下方向に回動可能に枢支され、前記座板３が水平に配置された時に先端部４２が前記座板３の係止部３５に係止される突張支持部材４と、
前記支柱２の下部に回動可能に取り付けられ、該支柱２と交差する向きに回動した時、支柱２の両側で床面Ｆに当接し、該支柱２を両側から支持するよう設けられた支持脚５とで構成した」ことを特徴とする折畳み携帯椅子１である。